(57)【要約】【課題】  レンズが本体から被写体の方向に突出する構造において、スイッチ操作によって撮像指令が入力されたときは、撮像素子が撮像待機状態になるまでの期間に、撮像に有効な画像を表示部の画面に表示させて、感覚的に待ち時間を短くする。【解決手段】  撮像モードに応じてＣＣＤ撮像系１０３を撮像待機状態にするために、光学系１１を本体から被写体の方向に突出させる駆動信号をドライバブロック１０２に対して与えるレンズコントローラ１１２と、撮像指令が入力されたときからＣＣＤ撮像系１０３が撮像待機状態になるまでは、予め用意されている画像を画像表示部１０８に表示させ、ＣＣＤ撮像系１０３が撮像待機状態になった後は、ＣＣＤ撮像系１０３によって撮像された被写体の画像を画像表示部１０８に表示させるＣＰＵ１０４とを備えている。【選択図】  図１
2006229390.tif 000002
【特許請求の範囲】
【請求項１】
撮像待機状態において光学系を通して入力する光によって被写体を撮像する撮像手段を収容する本体と、
操作手段から入力される撮像指令に応じて前記撮像手段を撮像待機状態にするために、前記光学系を前記本体から被写体の方向に突出させる駆動信号を機構手段に対して与える駆動制御手段と、
前記撮像指令が入力されたときから前記撮像手段が撮像待機状態になるまでは予め用意されている画像を表示手段に表示させ、前記撮像手段が撮像待機状態になった後は前記撮像手段によって撮像された被写体の画像を前記表示手段に表示させる表示制御手段と、
を備えた電子カメラ装置。
【請求項２】
前記駆動制御手段は、前記撮像指令に応じて、前記光学系のズーム機構、フォーカス機構、およびシャッタ機構を機能させる駆動信号を前記機構手段に与えることを特徴とする請求項１に記載の電子カメラ装置。
【請求項３】
前記表示制御手段は、前記撮像指令が入力されたときから前記撮像手段が撮像待機状態になるまでは、前記撮像手段によって撮像された画像を所定の記憶手段に保存するための条件を示す情報を前記表示手段に表示させることを特徴とする請求項１に記載の電子カメラ装置。
【請求項４】
前記表示制御手段は、撮影モードおよび再生モードにおける電池の動作可能時間を示す情報、および、前記記憶手段に記憶可能な画像数を示す情報の少なくとも一方を前記条件を示す情報として前記表示手段に表示させることを特徴とする請求項３に記載の電子カメラ装置。
【請求項５】
撮像待機状態において光学系を通して入力する光によって被写体を撮像する撮像手段を収容する本体における操作手段からの操作に応じて撮像指令を入力する第１のステップと、
前記第１のステップによって入力された撮像指令に応じて前記撮像手段を撮像待機状態にするために、前記本体から被写体の方向に突出させる駆動信号を機構手段に対して与える第２のステップと、
前記撮像指令が入力されたときから前記撮像手段が撮像可能な状態になるまでは予め用意されている画像を表示手段に表示させ、前記撮像手段が撮像可能な状態になった後は前記撮像手段によって撮像された被写体の画像を前記表示手段に表示させる第３のステップと、
を実行する電子カメラ装置の制御プログラム。
【請求項６】
前記第２のステップは、前記第１のステップによって入力された撮像指令に応じて、前記光学系のズーム機構、フォーカス機構、およびシャッタ機構を機能させる駆動指令を前記機構手段に与えることを特徴とする請求項５に記載の電子カメラ装置の制御プログラム。
【請求項７】
前記第３のステップは、前記撮像指令が入力されたときから前記撮像手段が撮像待機状態になるまでは、前記撮像手段によって撮像された画像を所定の記憶手段に保存するための条件を示す情報を前記表示手段に表示させることを特徴とする請求項５に記載の電子カメラ装置の制御プログラム。
【請求項８】
前記第３のステップは、撮影モードおよび再生モードにおける電池の動作可能時間を示す情報、および、前記記憶手段に記憶可能な画像数を示す情報の少なくとも一方を前記条件を示す情報として前記表示手段に表示させることを特徴とする請求項７に記載の電子カメラ装置の制御プログラム。
【発明の詳細な説明】
【技術分野】
【０００１】
本発明は、電子カメラ装置およびその制御プログラムに関し、特に、被写体の方向に光学系を動かして撮像可能な状態にする電子カメラ装置およびその制御プログラムに関するものである。
【背景技術】
【０００２】
ＣＣＤやＣＭＯＳなどの固体撮像素子によって被写体を撮像してメモリに記憶する電子カメラ装置は広く普及している。電子カメラ装置の中でも主流となっているのは、ポケットやハンドバッグの中に収容できる小型のものである。このような小型の電子カメラ装置の多くは、非撮影状態においては複数枚のレンズを保持する鏡筒を本体内に収納し、撮影の際に電源スイッチをオンにすると、鏡筒を本体から突出させて被写体の方向に移動させて、ズーム機能、フォーカス機能、アイリス（絞り）機能、シャッタ機能などが作動し、被写体を撮像したスルー画像をＬＣＤ（液晶表示デバイス）などの表示部に表示する機構になっている。
【０００３】
ある提案の電子カメラは、撮影レンズを通して得られる被写体像を撮像系で画像信号に変換し、画像信号を記録手段によって記録媒体に記録するとともに、撮影レンズの前面を外部に露出させるべくレンズの前面を開放する開放位置と、撮影レンズの前面を外部から保護すべくレンズの前面を閉止する閉止位置との間を、移動可能な如く設けられたレンズ保護カバーと、レンズ保護カバーが開放位置にあるときは撮影を許可する撮影モードに設定し、レンズ保護カバーが閉止位置にあるときは撮影を禁止する非撮影モードに設定する。撮影モードにおいては、レンズ保護カバーを開放して沈胴式撮影レンズをカメラ本体の前方に突出した撮影待機位置まで移動させ、非撮影モードにおいては、収納位置まで沈胴式レンズを後方へ移動させる構成になっている。（特許文献１参照）
また、ある提案のデジタルカメラは、本体ケースが正面ケースと背面ケースとで構成され、正面に対して進退可能な沈胴式のレンズ鏡筒を備えている。正面ケースには貫通穴が設けられ、貫通穴を貫通して前後方向に進退自在な沈胴式のレンズ鏡筒が設けられている。このレンズ鏡筒は、撮影時には正面から外方に延出する。（特許文献２参照）
また、ある提案のカメラは、カメラボディと一体に形成された固定筒と、この固定筒の内部に収納され、変倍用レンズを支持する移動筒と、光軸を中心にして回動自在となるように固定筒の内部に収納され、前端から後方に向かって延びるキー溝、および光軸を中心に回動することにより移動筒を光軸方向に沿って直進移動させるカムが形成されたカム筒と、固定筒の前端部に回動自在に取り付けられ、キー溝と嵌合突起が一体に形成されたズームリングとを備え、手動操作によりズームリングを回動させると、ズームリングと一体になったカム筒が回動して、移動筒が光軸方向に沿って直進移動することにより変倍動作が行われる。（特許文献３参照）
【特許文献１】特開２０００−１５２０７１号公報
【特許文献２】特開２００２−３１４８６４号公報
【特許文献３】特開２００３−２６２９０６号公報
【発明の開示】
【発明が解決しようとする課題】
【０００４】
しかしながら、上記特許文献１および特許文献３を含む従来の電子カメラ装置においては、スイッチ操作によって撮像指令が入力されたときから、レンズが本体から被写体の方向に突出して、ズーム機能、フォーカス機能、アイリス機能、シャッタ機能などのレンズ系の作動が完了して、撮像素子が撮像待機状態になるまでの期間においては、ユーザは画像が何も表示されていない画面を見ながらレンズ系の作動完了を待たなければならない。特許文献３のカメラの手動操作によるズームリングの回動の場合は別にして、この待ち時間はレンズ系の構造によって左右され、１秒ないし５秒程度であるが、待ち時間がゼロのフィルムカメラに慣れているユーザにとって、あるいは、スイッチ操作に応じてほぼ瞬時に表示できる携帯電話機や携帯電卓に使い慣れているユーザにとっては、実際よりも長い時間に感じてしまう。このため、気の短いユーザは待ちきれずにいらいらすることになり、電子カメラ装置の操作に慣れていないユーザはスイッチ操作が不完全だと勘違いして、再度スイッチ操作を行って電源オフ状態にするおそれがある。
本発明は、このような従来の課題を解決するためのものであり、レンズが本体から被写体の方向に突出する構造の電子カメラ装置において、スイッチ操作によって撮像指令が入力されたときは、撮像素子が撮像待機状態になるまでの期間に、撮像に有効な画像を表示部の画面に表示させて、感覚的に待ち時間を短くすることを目的とする。
【課題を解決するための手段】
【０００５】
請求項１に記載の電子カメラ装置は、撮像待機状態において光学系を通して入力する光によって被写体を撮像する撮像手段（実施形態においては、図１のＣＣＤ撮像系１０３に相当する）を収容する本体と、操作手段（実施形態においては、図１の操作部１１０に相当する）から入力される撮像指令（実施形態においては、撮像モードでの電源スイッチのオン操作に相当する）に応じて撮像手段を撮像待機状態にするために、光学系を本体から被写体の方向に突出させる駆動信号を機構手段（実施形態においては、図１のドライバブロック１０２に相当する）に対して与える駆動制御手段（実施形態においては、図１のレンズコントローラ１１２に相当する）と、撮像指令が入力されたときから撮像手段が撮像待機状態になるまでは予め用意されている画像を表示手段（実施形態においては、図１の画像表示部１０８に相当する）に表示させ、撮像手段が撮像待機状態になった後は撮像手段によって撮像された被写体の画像（実施形態においては、ＲＥＣスルー画像に相当する）を表示手段に表示させる表示制御手段（実施形態においては、図１のＣＰＵ１０４に相当する）と、を備えた構成になっている。
【０００６】
請求項１の電子カメラ装置において、請求項２に記載したように、駆動制御手段は、撮像指令に応じて、光学系のズーム機構、フォーカス機構、およびシャッタ機構を機能させる駆動信号を機構手段に与えるような構成にしてもよい。
また、請求項１の電子カメラ装置において、請求項３に記載したように、表示制御手段は、撮像指令が入力されたときから撮像手段が撮像待機状態になるまでは、撮像手段によって撮像された画像を所定の記憶手段（実施形態においては、図１の画像記憶部１０９に相当する）に保存するための条件を示す情報を表示手段に表示させるような構成にしてもよい。
請求項３の電子カメラ装置において、請求項４に記載したように、表示制御手段は、撮影モードおよび再生モードにおける電池の動作可能時間（実施形態においては、図９の電池の寿命時間に相当する）を示す情報、および、記憶手段に記憶可能な画像数を示す情報の少なくとも一方を条件を示す情報として表示手段に表示させるような構成にしてもよい。
【０００７】
請求項５に記載の電子カメラ装置の制御プログラムは、撮像待機状態において光学系を通して入力する光によって被写体を撮像する撮像手段（実施形態においては、図１のＣＣＤ撮像系１０３に相当する）を収容する本体における操作手段（実施形態においては、図１の操作部１１０に相当する）からの操作に応じて撮像指令（実施形態においては、撮像モードでの電源スイッチのオン操作に相当する）を入力する第１のステップと、第１のステップによって入力された撮像指令に応じて撮像手段を撮像待機状態にするために、本体から被写体の方向に突出させる駆動信号を機構手段（実施形態においては、図１のドライバブロック１０２に相当する）に対して与える第２のステップと、撮像指令が入力されたときから撮像手段が撮像可能な状態になるまでは予め用意されている画像を表示手段（実施形態においては、図１の画像表示部１０８に相当する）に表示させ、撮像手段が撮像可能な状態になった後は撮像手段によって撮像された被写体の画像（実施形態においては、ＲＥＣスルー画像に相当する）を表示手段に表示させる第３のステップと、を実行する。
実施形態において、第１のステップおよび第３のステップは、図１のＣＰＵ１０４の処理に相当し、第２のステップは、図１のレンズコントローラ１１２の処理に相当する。
【０００８】
請求項５の電子カメラ装置の制御プログラムにおいて、請求項６に記載したように、第２のステップは、第１のステップによって入力された撮像指令に応じて、光学系のズーム機構、フォーカス機構、およびシャッタ機構を機能させる駆動指令を機構手段に与えるような構成にしてもよい。
請求項５の電子カメラ装置の制御プログラムにおいて、請求項７に記載したように、第３のステップは、撮像指令が入力されたときから撮像手段が撮像待機状態になるまでは、撮像手段によって撮像された画像を所定の記憶手段（実施形態においては、図１の画像記録部１０９に相当する）に保存するための条件を示す情報を表示手段に表示させるような構成にしてもよい。
請求項７の電子カメラ装置の制御プログラムにおいて、請求項８に記載したように、第３のステップは、撮影モードおよび再生モードにおける電池の動作可能時間（実施形態においては、図９の電池の寿命時間に相当する）を示す情報、および、記憶手段に記憶可能な画像数を示す情報の少なくとも一方を条件を示す情報として表示手段に表示させるような構成にしてもよい。
【発明の効果】
【０００９】
本発明によれば、レンズが本体から被写体の方向に突出する構造の電子カメラ装置において、スイッチ操作によって撮像指令が入力されたときは、撮像素子が撮像待機状態になるまでの期間に、撮像に有効な画像を表示部の画面に表示させて、感覚的に待ち時間を短くできるという効果が得られる。
【発明を実施するための最良の形態】
【００１０】
以下、本発明による電子カメラ装置の実施形態について、図１ないし図９を参照して説明する。
図１は、実施形態における電子カメラ装置の全体構成を示すブロック図である。レンズブロック１０１は、ズームレンズやフォーカスレンズなどのレンズ群１１、ズームの位置検出センサ１２、フォーカスの位置検出センサ１３、ズームレンズの駆動機構１４、フォーカスレンズの駆動機構１５、アイリスの駆動機構１６、シャッタの駆動機構１７を備えている。このレンズブロック１０１は、いわゆる沈胴式であり、撮影の際にはレンズ群１１が本体から前方に突出する構造になっている。ドライバブロック１０２は、駆動機構１４を駆動するズーム駆動回路２１、駆動機構１５を駆動するフォーカス駆動回路２２、駆動機構１６を駆動するアイリス駆動回路２３、駆動機構１７を駆動するシャッタ駆動回路２４を備えている。以下、ドライバブロック１０２およびこれによって駆動される各駆動機構をまとめて駆動機構と称する。
【００１１】
ＣＣＤ撮像系１０３は、ＣＣＤ３１、ＣＤＳ／ＡＤ回路３２、ＴＧ回路３３を備えている。ＣＣＤ３１は、撮影モードが設定されている場合に、レンズ群１１によって結像された被写体の像を光電変換するとともに、ＴＧ回路３３からのタイミング信号によって走査駆動されて一定周期ごとに１画面分の撮像信号を出力する。ＣＤＳ／ＡＤ回路３２は、ＣＣＤ３１から出力された撮像信号をＲＧＢの色成分ごとに相関２重サンプリングしてノイズを除去し、ディジタル信号に変換して出力する。
【００１２】
ＣＰＵ１０４は中央演算処理装置であり、入出力ポートに接続された各種の構成要素である、ＣＣＤ撮像系１０３のＴＧ回路３３、カラープロセス回路１０５、ＪＰＥＧ回路１０６、ＤＲＡＭ１０７、画像表示部１０８、画像記録部１０９、操作部１１０、フラッシュメモリ１１１を制御するとともに、カメラコントローラ１１２との間で制御信号およびデータの授受を行う。
カラープロセス回路１０５は、ＣＤＳ／ＡＤ回路３２から出力された撮像信号に対して、画素補間処理を含むカラープロセス処理を施し、輝度信号および色信号を生成してＣＰＵ１０４およびＪＰＥＧ回路１０６に入力する。ＪＰＥＧ回路１０６は、カラープロセス回路１０５から入力された画像信号の縦８画素および横８画素のブロックごとに、ＤＣＴ（離散コサイン変換）および符号化処理を行って圧縮画像を生成してＣＰＵ１０４に入力する。操作部１１０は、電源スイッチ、モード設定スイッチ、シャッタスイッチ、ズームスイッチなどで構成されている。フラッシュメモリ１１１は、書換え可能な不揮発性のメモリであり、ＣＰＵ１０４によって実行される制御プログラムや初期データなどがあらかじめ記憶されている。
【００１３】
ＣＰＵ１０４は、フラッシュメモリ１１１の制御プログラムに従って、カラープロセス回路１０５から入力された１画面分の撮像信号をＤＲＡＭ１０７に一時的に記憶するとともに、画像表示部１０８に表示する。すなわち、レンズ群１１を通して入力された被写体の撮像画像（これを「ＲＥＣスルー画像」という）をモニター表示する。また、ＣＰＵ１０４は、操作部１１０のシャッタスイッチがオンされたときは、ドライバブロック１０２のシャッタ駆動回路２４を制御する制御信号をレンズコントローラ１１２に送信し、ＪＰＥＧ回路１０６から入力された１画面分の圧縮画像を画像記録部１０９に保存する。また、ＣＰＵ１０４は、操作部１１０のズームスイッチがオンされたときは、ドライバブロック１０２のズーム駆動回路２１を制御する制御信号をレンズコントローラ１１２に送信して、レンズ群１１のズーム制御を行う。
レンズコントローラ１１２は、ＣＰＵ１０４から制御信号およびデータを受信したときは、内部のメモリにあらかじめ組み込まれている制御プログラムに従って、レンズブロック１０１およびドライバブロック１０２を制御する。
【００１４】
次に、図１に示した電子カメラ装置の動作について、図２ないし図８のフローチャートおよび図９の表示画像に基づいて説明する。
図２ないし図４は、ＣＰＵ１０４のメインルーチンのフローチャートである。操作部１１０の電源スイッチがオンされると、リセットを解除し（ステップＳＡ１）、フラッシュメモリ１１１からタスク管理、ジョブ管理、データ管理などの基本ソフトウェアであるＯＳ、および、起動プログラムをロードする（ステップＳＡ２）。そして、ロードしたＯＳを起動し（ステップＳＡ３）、ポートの初期化を行う（ステップＳＡ４）。次に、割込み処理を設定して各種の割込みに対する優先度などを決定する（ステップＳＡ５）。
【００１５】
次に、現在設定されているモードを判別して、そのモードに応じた処理を行う。設定されているモードが撮影モードであるか否かを判別し（ステップＳＡ６）、撮影モードが設定されている場合には、レンズコントローラ１１２に対して起動信号を送信する（ステップＳＡ７）。
図５および図６は、レンズコントローラ１１２の動作を示すフローチャートである。図５において、ＣＰＵ１０４から起動信号を受信したか否かを判別し（ステップＳＢ１）、起動信号を受信したときはレンズ系の電源をオンにする（ステップＳＢ２）。次に、レンズ系の駆動信号をドライバブロック１０２に出力して（ステップＳＢ３）、シャッタをオープンに制御し（ステップＳＢ４）、ズームをオープンに制御する（ステップＳＢ５）。そして、これらのオープン処理が終了したか否かを判別し（ステップＳＢ６）、オープン処理が終了したときは割込み信号（１）をＣＰＵ１０４に送信する（ステップＳＢ７）。次に、アイリスを初期化し（ステップＳＢ８）、フォーカスをオープンにして（ステップＳＢ９）、割込み信号（２）をＣＰＵ１０４に送信する（ステップＳＢ１０）。
【００１６】
レンズコントローラ１１２がＣＰＵ１０４から起動信号を受信してから割込み信号（２）をＣＰＵ１０４に送信するまでの時間は、レンズ系１１の構成やズーム範囲によって異なるが、１秒ないし５秒程度である。したがって、この期間においてはレンズ系１１からのスルー画像を表示することができない。このため、ＣＰＵ１０４は、図２のステップＳＡ７において起動信号を送信した後は、表示系プログラムを起動し（ステップＳＡ９）、画像記録部１０９の圧縮された画像データを伸長処理してＤＲＡＭ１０７に転送する（ステップＳＡ１０）。また、バッテリ電圧を検出し（ステップＳＡ１１）、時間情報を取得する（ステップＳＡ１２）。そして、ＤＲＡＭ１０７に転送した画像データ、バッテリの寿命情報、および時間情報を画像表示部１０８に表示する（ステップＳＡ１３）。
図９は、画像表示部１０８に表示された画像を示している。図９に示すように、画像記録部１０９に前回記録した画像とともに、取得した時間情報および記録と再生の際のバッテリの寿命情報が表示されている。
【００１７】
図７は、レンズコントローラ１１２から割込み信号（１）を受信したときのＣＰＵ１０４の割込み（１）処理のフローチャートである。この割込み処理では、ＣＣＤ撮像系のプログラムを起動して（ステップＳＣ１）、ＤＲＡＭ１０７をクリアし（ステップＳＣ２）、その他の初期化を行う（ステップＳＣ３）。
図８は、レンズコントローラ１１２から割込み信号（２）を受信したときのＣＰＵ１０４の割込み（２）処理のフローチャートである。この割込み処理では、フラグＲＥＣを１（撮像待機状態）にセットし（ステップＳＤ１）、ＣＣＤ撮像系１０３から出力されるＲＥＣスルー画像データをＤＲＡＭ１０７にストアし（ステップＳＤ２）、ＤＲＡＭ１０７のＲＥＣスルー画像データを画像表示部１０８に表示する（ステップＳＤ３）。
【００１８】
一方、図２のステップＳＡ６において設定されているモードが撮影モードでない場合には、再生モードが設定されいるか否かを判別する（ステップＳＡ８）。再生モードが設定されている場合には、ステップＳＡ９からステップＳＡ１３までの処理を実行して、図９に示した画像を画像表示部１０８に表示する。ステップＳＡ８において、設定されているモードが再生モードでない場合には、他のモードであるか否かを判別し（ステップＳＡ１４）、他のモードである場合にはそのモードに対応する他の処理を行う（ステップＳＡ１５）。
【００１９】
ステップＳＡ１３における表示処理の後、又は、ステップＳＡ１５における他の処理の後は、図３のフローチャートにおいて、操作部１１０のモード設定スイッチによってモードが変更されたか否かを判別する（ステップＳＡ１６）。モード変更がされたときは、図２のステップＳＡ６に移行して、変更されたモードに応じた処理を行う。図３のステップＳＡ１６においてモード変更がされない場合には、シャッタスイッチがオンされたか否かを判別する（ステップＳＡ１７）。
このスイッチがオンされたときは、フラグＲＥＣＦが１（撮像待機状態）又は０（撮像禁止状態）であるかを判別する（ステップＳＡ１８）。すなわち、図２のステップＳＡ７でレンズコントローラ１１２に送信した起動信号に応じて、レンズ群１１が本体から前方に突出した撮像待機状態であるか、又は、レンズ群１１がまだ本体から前方に突出していない撮影禁止状態であるかを判別する。ＲＥＣＦが０の場合には、ＬＥＤの点滅などによって警告表示する（ステップＳＡ１９）。警告表示の後はステップＳＡ１６に移行して、モード変更の有無を判別する。ステップＳＡ１８においてＲＥＣＦが１である場合には、レンズコントローラ１１２にシャッタをクローズするシャッタ信号を送信する（ステップＳＡ２０）。
【００２０】
レンズコントローラ１１２は、図５のステップＳＢ１０において割込み信号（２）を送信した後、図６のフローチャートにおいてＣＰＵ１０４からシャッタをクローズするシャッタ信号を受信したか否かを判別する（ステップＳＢ１１）。シャッタ信号を受信したときは、ドライバブロック１０２にシャッタクローズの制御信号を出力し（ステップＳＢ１２）、シャッタクローズを検出したか否かを判別する（ステップＳＢ１３）。シャッタクローズを検出したときは、ＣＰＵ１０４に対してシャッタクローズを送信する（ステップＳＢ１４）。この後は、ステップＳＢ１１に移行して、次のシャッタ信号の受信を判別する。
【００２１】
ＣＰＵ１０４は、図３のステップＳＡ２０においてシャッタ信号を送信した後、レンズコントローラ１１２からシャッタクローズを受信したか否かを判別する（ステップＳＡ２１）。シャッタクローズを受信したときは、ＤＲＡＭ１０７のＲＥＣスルー画像データをＪＰＥＧ圧縮して（ステップＳＡ２２）、その圧縮画像データを画像記録部１０９に保存する（ステップＳＡ２３）。この後はステップＳＡ１６に移行して、モード変更の有無を判別する。
【００２２】
ステップＳＡ１７において、シャッタスイッチがオンでない場合には、ズームスイッチがオンされたか否かを判別する（ステップＳＡ２４）。ズームスイッチがオンされたときは、ＲＥＣＦが１であるか否かを判別し（ステップＳＡ２５）、ＲＥＣＦが０の場合にはステップＳＡ１９において警告を表示するが、ＲＥＣＦが１である場合には、レンズコントローラ１１２にズーム変更を送信する（ステップＳＡ２６）。この後はステップＳＡ１６に移行して、モード変更の有無を判別する。
【００２３】
レンズコントローラ１１２は、図６のステップＳＢ１１においてＣＰＵ１０４からシャッタ信号を受信しない場合には、ＣＰＵ１０４からズーム変更を受信したか否かを判別する（ステップＳＢ１５）。ズーム変更を受信したときは、新たなズーム値に基づいてズーム制御を行う（ステップＳＢ１６）。ズーム制御の後はステップＳＢ１１に移行して、シャッタ信号の受信を判別する。
【００２４】
ＣＰＵ１０４は、図３のステップＳＡ２４においてズームスイッチがオンでない場合には、図４のフローチャートにおいて、電源スイッチがオフされたか否かを判別する（ステップＳＡ２７）。電源スイッチがオフでない場合には図３のステップＳＡ１６に移行してモード変更の有無を判別するが、電源スイッチがオフされたときは、ＲＥＣＦが１であるか否かを判別して（ステップＳＡ２８）、ＲＥＣＦが１である場合には、ＲＥＣＦを０にリセットする（ステップＳＡ２９）。ＲＥＣＦが０である場合又はＲＥＣＦを０にリセットした後は、レンズコントローラ１１２に終了信号を送信し（ステップＳＡ３０）、画像表示部１０８の表示を消去して（ステップＳＡ３１）、リセット処理を行う（ステップＳＡ３２）。
【００２５】
レンズコントローラ１１２は、図６のステップＳＢ１５においてＣＰＵ１０４からズーム変更を受信しない場合には、ＣＰＵ１０４から終了信号を受信したか否かを判別する（ステップＳＢ１７）。終了信号を受信しない場合にはステップＳＢ１１に移行してシャッタ信号の受信を判別するが、終了信号を受信したときは、フォーカスをクローズにし（ステップＳＢ１８）、ズームをクローズにし（ステップＳＢ１９）、シャッタをクローズにする（ステップＳＢ２０）。そして、これらのクローズが終了したか否かを判別し（ステップＳＢ２１）、クローズが終了したときはレンズ系の電源をオフにする（ステップＳＢ２２）。この後は、図５のステップＳＢ１に移行して、ＣＰＵ１０４からの起動信号の受信を判別する。
【００２６】
以上のように、この実施形態による電子カメラ装置は、撮像待機状態において光学系１１を通して入力する光によって被写体を撮像するＣＣＤ撮像系１０３を収容する本体と、操作部１１０から入力された撮像指令、すなわち、撮像モードでの電源スイッチのオン操作に応じて、ＣＣＤ撮像系１０３を撮像待機状態にするために、光学系１１を本体から被写体の方向に突出させる駆動信号をドライバブロック１０２に対して与えるレンズコントローラ１１２と、撮像指令が入力されたときからＣＣＤ撮像系１０３が撮像待機状態になるまでは、予め用意されている画像を画像表示部１０８に表示させ、ＣＣＤ撮像系１０３が撮像待機状態になった後は、ＣＣＤ撮像系１０３によって撮像された被写体の画像を画像表示部１０８に表示させるＣＰＵ１０４とを備えている。この場合において、レンズコントローラ１１２は、撮像指令に応じて、光学系１１のズーム機構、フォーカス機構、およびシャッタ機構を機能させる駆動信号をドライバブロック１０２に与える。
したがって、スイッチ操作によって撮像指令が入力されたときは、ＣＣＤ撮像系１０３が撮像待機状態になるまでの期間に、撮像に有効な画像を画像表示部１０８の画面に表示させて、感覚的に待ち時間を短くすることができる。
【００２７】
ＣＰＵ１０４は、撮像指令が入力されたときからＣＣＤ撮像系１０３が撮像待機状態になるまでは、ＣＣＤ撮像系１０３によって撮像された画像を画像記録部１０９に保存するための条件を示す情報として、図９に示すように電池の寿命時間（ＲＥＣ：１２０分など）を表示させる。
また、上記実施形態の変形例として、電池の寿命時間の代わりに、画像記録部１０９に記憶可能な画像数を示す情報を画像表示部１０８に表示させてもよい。
したがって、保存できる画像の残りの枚数をを容易に知ることができる。
【００２８】
なお、上記実施形態においては、フラッシュメモリ１１１にあらかじめ記憶された制御プログラムをＣＰＵ１０４が実行する装置の発明について説明したが、フレキシブルディスク（ＦＤ）、ＣＤ、ＭＤなどの記憶媒体に記録されている制御プログラム、又は、インターネットなどのネットワークからダウンロードした制御プログラムをフラッシュメモリ１１１にインストールすることも可能である。この場合には、プログラムの発明やそのプログラムを記録した記録媒体の発明を実現できる。
【００２９】
すなわち、本発明による電子カメラ装置の制御プログラムは、
撮像待機状態において光学系を通して入力する光によって被写体を撮像する撮像手段を収容する本体における操作手段からの操作に応じて撮像指令を入力する第１のステップと、前記第１のステップによって入力された撮像指令に応じて前記撮像手段を撮像待機状態にするために、前記本体から被写体の方向に突出させる駆動信号を機構手段に対して与える第２のステップと、前記撮像指令が入力されたときから前記撮像手段が撮像可能な状態になるまでは予め用意されている画像を表示手段に表示させ、前記撮像手段が撮像可能な状態になった後は前記撮像手段によって撮像された被写体の画像を前記表示手段に表示させる第３のステップと、を実行する。
【００３０】
前記第２のステップは、前記第１のステップによって入力された撮像指令に応じて、前記光学系のズーム機構、フォーカス機構、およびシャッタ機構を機能させる駆動指令を前記機構手段に与える。
前記第３のステップは、前記撮像指令が入力されたときから前記撮像手段が撮像待機状態になるまでは、前記撮像手段によって撮像された画像を記憶手段に保存するための条件を示す情報を前記表示手段に表示させる。
前記第３のステップは、撮影モードおよび再生モードにおける電池の動作可能時間を示す情報、および、前記記憶手段に記憶可能な画像数を示す情報の少なくとも一方を前記条件を示す情報として前記表示手段に表示させる。
【図面の簡単な説明】
【００３１】
【図１】本発明の電子カメラ装置の全体構成を示すブロック図。
【図２】図１のＣＰＵの動作を示すメインルーチンのフローチャート。
【図３】図２に続くＣＰＵのメインルーチンのフローチャート。
【図４】図３に続くＣＰＵのメインルーチンのフローチャート。
【図５】図１のレンズコントローラの動作を示すフローチャート。
【図６】図５に続くレンズコントローラの動作を示すフローチャート。
【図７】図１のＣＰＵの割込み（１）処理のフローチャート。
【図８】図１のＣＰＵの割込み（２）処理のフローチャート。
【図９】図１の画像表示部の画面における画像を示す図。
【符号の説明】
【００３２】
１０１  レンズブロック
１０２  ドライバブロック
１０３  ＣＣＤ撮像系
１０４  ＣＰＵ
１０５  カラープロセス回路
１０６  ＪＰＥＧ回路
１０７  ＤＲＡＭ
１０８  画像表示部
１０９  画像記録部
１１０  操作部
１１１  フラッシュメモリ
１１２  レンズコントローラ
【図１】
2006229390.tif 000003
【図２】
2006229390.tif 000004
【図３】
2006229390.tif 000005
【図４】
2006229390.tif 000006
【図５】
2006229390.tif 000007
【図６】
2006229390.tif 000008
【図７】
2006229390.tif 000009
【図８】
2006229390.tif 000010
【図９】
2006229390.tif 000011